(57)【要約】【課題】照明装置自体の照明光を正確に検出することで、照明光を高精度に制御することができるとともに、構造や配線の取り回しを複雑にすることのない照明装置、並びに、これを含む電気光学装置を提供する。【解決手段】照明装置１００は、複数の光源と、表裏両側に設けられた板面及び板面の周囲に設けられた複数の端面を有し、複数の光源から発せられた光を前記複数の端面のうちの少なくとも一の端面である光入射面から導入して一方の前記板面である光出射面より出射させる導光板と、導光板の端面若しくは板面に対向配置された複数の光検出器１３１〜１３３と、複数の光検出器の出力に基づいて複数の光源の発光態様を制御可能に構成された光源制御手段１４０，１５０とが設けられ、複数の光検出器には、異なる方向を向いた端面若しくは板面にそれぞれ対向配置された受光面を備えた少なくとも二つの光検出器が含まれる。【選択図】図１
2007287386.tif 000002
【特許請求の範囲】
【請求項１】
複数の光源と、表裏両側に設けられた板面及び該板面の周囲に設けられた複数の端面を
有し、前記複数の光源から発せられた光を前記複数の端面のうちの少なくとも一の端面で
ある光入射面から導入して一方の前記板面である光出射面より出射させる導光板と、を有
する照明装置において、
前記導光板の前記端面若しくは前記板面に対向配置された複数の光検出器と、該複数の
光検出器の出力に基づいて前記複数の光源の発光態様を制御可能に構成された光源制御手
段と、が設けられ、
前記複数の光検出器には、異なる方向を向いた前記端面若しくは前記板面にそれぞれ対
向配置された受光面を備えた少なくとも二つの光検出器が含まれることを特徴とする照明
装置。
【請求項２】
前記複数の光検出器には、前記光入射面からの距離が異なる位置に配置された前記受光
面を備えた少なくとも二つの光検出器が含まれることを特徴とする請求項１に記載の照明
装置。
【請求項３】
前記複数の光検出器には、前記光入射面に沿って見たときに前記複数の光源の配列方向
の中央部分と一方の端部分、若しくは、前記配列方向の両端部分にそれぞれ対向する受光
面を備えた少なくとも二つの光検出器が含まれることを特徴とする請求項１又は２に記載
の照明装置。
【請求項４】
前記導光板は平面視矩形状に構成され、前記複数の光検出器には、隣接する２つの前記
端面又は前記板面にそれぞれ対向配置された受光面を備えた少なくとも二つの光検出器が
含まれることを特徴とする請求項１乃至３のいずれか一項に記載の照明装置。
【請求項５】
前記光源制御手段は、前記複数の光検出器にて検出された検出値から導出された代表値
に基づいて前記複数の光源を一括して制御することを特徴とする請求項１乃至４のいずれ
か一項に記載の照明装置。
【請求項６】
前記光源は放出光の色度を制御可能に構成され、前記光検出器は検出光の色度を導出可
能な検出値を出力するものであり、
前記光源制御手段は、前記複数の光検出器の検出値から導出された色度の代表値に基づ
いて前記複数の光源の放出光の色度を一括して制御することを特徴とする請求項１乃至４
に記載の照明装置。
【請求項７】
前記光源は放出光の輝度を制御可能に構成され、前記光検出器は検出光の輝度を導出可
能な検出値を出力するものであり、
前記光源制御手段は、前記複数の光検出器の検出値から導出された輝度の代表値に基づ
いて前記複数の光源の放出光の輝度を一括して制御することを特徴とする請求項１乃至４
又は６のいずれか一項に記載の照明装置。
【請求項８】
請求項１乃至７のいずれか一項に記載の照明装置と、当該照明装置の光出射側に配置さ
れ、前記照明装置の照明光に基づいて機能する電気光学パネルと、を具備することを特徴
とする電気光学装置。
【請求項９】
請求項８に記載の電気光学装置を搭載したことを特徴とする電子機器。
【発明の詳細な説明】
【技術分野】
【０００１】
本発明は照明装置、電気光学装置及び電子機器に係り、特に、光検出器の検出値に応じ
て光源の発光態様を制御する機能を備えた照明装置の構成に関する。
【背景技術】
【０００２】
一般に、ＬＥＤ等の光源から放出された光を導光板に入射させ、導光板の内部を伝播さ
せた後、導光板の光出射面から出射させるように構成された照明装置が知られている。こ
のような照明装置は、例えば、液晶パネルを照明するためのバックライトなどの面状照明
装置として利用されている。
【０００３】
上記のような照明装置においては、光出射面内の光の輝度の均一性を確保すること、及
び、出射光のホワイトバランスを確保することが要求されるところ、光源にはそれぞれの
輝度や色度のばらつきが存在することから、複数の光源を配置する場合には輝度や色度の
ばらつきを有する各光源の組み合わせによって照明光のばらつき範囲がさらに拡大する可
能性があるため、導光板の周囲や光出射側に配置した光検出器によって輝度や色調を検出
し、この検出値に応じて光源の輝度や色調をフィードバック制御することが提案されてい
る（例えば、以下の特許文献１乃至３参照）。
【特許文献１】特開２００５−９１５２６号公報
【特許文献２】特開２００４−１９９９６８号公報
【特許文献３】特開２００５−７０１３２号公報
【発明の開示】
【発明が解決しようとする課題】
【０００４】
しかしながら、前述の光検出器の検出値を用いた制御方法では、導光板から出射する光
を光検出器で検出し、これに基づいて光源を制御しているが、たとえば、上記特許文献１
及び２の装置では、導光板から所定範囲内の方向にのみ出射される光を検出しているため
、光検出器の検出値が導光板の光出射面から出射される照明光全体を充分に反映していな
い場合があり、この検出値に基づいて光源を制御したとしても、照明光の制御状態が不十
分となる虞がある。
【０００５】
また、上記特許文献３に記載の装置では、表示セルに入射する光を検出するために、表
示セルの一方の基板面に光検出器を対応配置するようにしているため、照明装置単体で構
成することができず、表示セルの構造や配線の取り回しが複雑になることから、製造コス
トが増大するという問題点がある。
【０００６】
そこで、本発明は上記問題点を解決するものであり、照明装置自体の照明光を正確に検
出することで、照明光を高精度に制御することができるとともに、構造や配線の取り回し
を複雑にすることのない照明装置、並びに、これを含む電気光学装置を提供することにあ
る。
【課題を解決するための手段】
【０００７】
斯かる実情に鑑み、本発明の照明装置は、複数の光源と、表裏両側に設けられた板面及
び該板面の周囲に設けられた複数の端面を有し、前記複数の光源から発せられた光を前記
複数の端面のうちの少なくとも一の端面である光入射面から導入して一方の前記板面であ
る光出射面より出射させる導光板と、を有する照明装置において、前記導光板の前記端面
若しくは前記板面に対向配置された複数の光検出器と、該複数の光検出器の出力に基づい
て前記複数の光源の発光態様を制御可能に構成された光源制御手段と、が設けられ、前記
複数の光検出器には、異なる方向を向いた前記端面若しくは前記板面にそれぞれ対向配置
された受光面を備えた少なくとも二つの光検出器が含まれることを特徴とする。
【０００８】
この発明によれば、異なる方向を向いた端面若しくは板面にそれぞれ対向配置された受
光面を備えた光検出器が少なくとも二つの光検出器が含まれることにより、導光板から異
なる方向に出射する光をそれぞれ確実に検出することができるため、これらの検出値を用
いることで、導光板の光出射面から出射される照明光の状態を充分に反映した制御を行う
ことが可能になる。
【０００９】
本発明において、前記複数の光検出器には、前記光入射面からの距離が異なる位置に配
置された前記受光面を備えた少なくとも二つの光検出器が含まれることが好ましい。これ
によれば、光入射面からの距離が異なる位置に受光面が配置されることで、導光板内の光
の伝播方向に見て異なる位置から出射される光をそれぞれ検出することが可能になるため
、上記伝播方向に見た照明光のばらつきに起因する制御への影響を低減できることから、
照明光をさらに正確に反映した制御を行うことが可能になる。
【００１０】
本発明において、前記複数の光検出器には、前記端面又は前記板面における前記複数の
光源の配列方向の中央部分と一方の端部分、若しくは、前記配列方向の両端部分にそれぞ
れ対向する受光面を備えた少なくとも二つの光検出器が含まれることが好ましい。これに
よれば、複数の光源の配列方向に相互に離間した受光面が設けられることにより、光源の
配列方向のばらつきによる制御への影響を低減できるため、照明光をさらに正確に反映し
た制御を行うことが可能になる。
【００１１】
本発明において、前記導光板は平面視矩形状に構成され、前記複数の光検出器には、隣
接する二つの前記端面又は前記板面にそれぞれ対向配置された受光面を備えた少なくとも
二つの光検出器が含まれることが好ましい。これによれば、平面視矩形状の導光板におい
て、隣接する二つの端面又は前記板面にそれぞれ対向配置された受光面が設けられること
となるため、導光板から９０度異なる方向へ出射される光を検出できることから、これら
の検出値を用いることで、照明光をより正確に反映した制御を行うことが可能になる。
【００１２】
本発明において、前記光源制御手段は、前記複数の光検出器にて検出された検出値から
導出された代表値に基づいて前記複数の光源を一括して制御することが好ましい。これに
よれば、複数の光検出器の検出値から導出された代表値に基づいて複数の光源を一括して
制御することにより、光源制御手段の簡易化を図ることができるため、照明光を充分に反
映した制御態様を実現しつつ製造コストの低減を図ることができる。ここで、代表値とし
ては、複数の検出値の平均値、加重平均値、総和、線形和、中央値などが挙げられる。特
に、容易に導出できる点で平均値や総和を用いることが望ましく、また、種々の状況に応
じた重み付けを任意に設定できる点で加重平均値や線形和を用いることが望ましい。
【００１３】
本発明において、前記光源は放出光の色度を制御可能に構成され、前記光検出器は検出
光の色度を導出可能な検出値を出力するものであり、前記光源制御手段は、前記複数の光
検出器の検出値から導出された色度の代表値に基づいて前記複数の光源の放出光の色度を
一括して制御することが好ましい。これによれば、照明光の色度、例えば、ホワイトバラ
ンスを簡易に制御することができる。
【００１４】
本発明において、前記光源は放出光の輝度を制御可能に構成され、前記光検出器は検出
光の輝度を導出可能な検出値を出力するものであり、前記光源制御手段は、前記複数の光
検出器の検出値から導出された輝度の代表値に基づいて前記複数の光源の放出光の輝度を
一括して制御することが好ましい。これによれば、照明光の輝度を簡易に制御することが
できる。
【００１５】
本発明の電気光学装置は、上記のいずれかに記載の照明装置と、当該照明装置の光出射
側に配置され、前記照明装置の照明光に基づいて機能する電気光学パネルと、を具備する
ことを特徴とする。上記の照明装置では輝度や色度のばらつきを低減できるため、色調の
良好な表示を再現性よく得ることが可能になる。
【００１６】
また、本発明の電子機器は、上記の電気光学装置を搭載したことを特徴とする。電子機
器としては、表示部に電気光学装置を用いる各種の電子機器、例えば、コンピュータ装置
、表示装置、携帯電話、電子時計、プロジェクタなどを挙げることができる。
【発明を実施するための最良の形態】
【００１７】
次に、添付図面を参照して本発明に係る照明装置、電気光学装置及び電子機器の実施形
態について詳細に説明する。
【００１８】
[第１実施形態]
（照明装置）  図１は、本発明に係る第１実施形態の照明装置の構成を模式的に示す模
式図である。照明装置１００は、複数（図示例では６つ）の光源１１１、１１２、１１３
、１１４、１１５、１１６と、これらの光源から放出される光を端面の一つである光入射
面１２０ａから導入して板面の一つである光出射面１２１から出射する導光板１２０と、
導光板１２０の互いに異なる位置にそれぞれ配置された複数（図示例では３つ）の光検出
器１３１、１３２、１３３と、各光検出器１３１、１３２、１３３で得られた検出値に基
づいて代表値を算出する検出回路１４０と、この代表値を所定の既定値と比較した結果に
基づいて各光源１１１〜１１６を制御する制御回路１５０とを有する。ここで、検出回路
１４０及び制御回路１５０は上述の光源制御手段を構成する。
【００１９】
導光板１２０は、例えば、屈曲率１．５程度のアクリルやポリカーボネイト等からなる
平面矩形状の板状体であり、複数（図示例では４つ）の端面１２０ａ、１２０ｂ、１２０
ｃ、１２０ｄ及び表裏２つの板面１２１、１２２を有し、端面のうちの一つである光入射
面１２０ａから導入された入射光を導光板内に伝播させながら、一方の板面である光出射
面（上面）１２１から出射させるようになっている。また、導光板１２０の他方の板面で
ある底面（下面）１２２には微細な凹凸構造やドット印刷層等の光偏向手段（図示せず）
が形成されているとともに、導光板１２０の底面１２２の下側には光反射シート１３０が
配置されている。この光反射シートは、導光板１２０内を伝播して底面１２２から出射し
た光を反射して、再び導光板１２０内へ入射させ、最終的に光出射面１２１から出射させ
るように機能する。
【００２０】
ここで、複数の光源１１１〜１１６は、導光板１２０の光入射面１２０ａに沿って直線
状に所定間隔をおいて配列されている。各光源は、赤色（Ｒ）、緑色（Ｇ）、青色（Ｂ）
の３色の異なる波長の光をそれぞれ発光する３つの発光部が１組となったものである。こ
れらのＲ発光部、Ｇ発光部、Ｂ発光部はそれぞれ与えられる電流量によって輝度が調整可
能となるように構成されており、通常、全体として白色光を発光するように設定されてい
る。発光部は例えばＬＥＤ（発光ダイオード）等で構成できる。
【００２１】
また、複数の光検出器１３１、１３２、１３３は、それぞれ異なる波長域にある光の強
度を検出可能な複数の受光部を備えた受光面を有している。具体的には、各光検出器には
、Ｒフィルタを備えたＲ受光部と、Ｇフィルタを備えたＧ受光部と、Ｂフィルタを備えた
Ｂ受光部とが設けられており、これらの各受光部はそれぞれのフィルタ特性に応じて光の
Ｒ成分、Ｇ成分及びＢ成分の光強度を検出するように構成されている。各受光部はフォト
トランジスタやフォトダイオード等で構成できる。
【００２２】
また、複数の光検出器１３１、１３２、１３３は導光板１２０の上記光入射面１２０ａ
以外の端面１２０ｂ、１２０ｃ、１２０ｄにそれぞれ対向配置されており、導光板１２０
の各端面から出射される光を検出するように構成されている。複数の光検出器１３１、１
３２、１３３は、導光板１２０に対する受光面の方向が互いに異なるように配置されてい
る。具体的には、導光板１２０の異なる方向を向いた異なる端面１２０ｂ、１２０ｃ、１
２０ｄにそれぞれ受光面が対向するように配置されることで、各光検出器の光の取り込み
方向が異なるように構成されている。
【００２３】
より具体的には、図１に示すように、光検出器１３１は、導光板１２０の光入射面１２
０ａに対して交差（直交）する一方（左側）の端面１２０ｂのうち、光入射面１２０ａか
ら最も離間した部分、すなわち、光入射面１２０ａに対向する端面１２０ｃに隣接する端
部分に対向配置されている。また、光検出器１３２は、導光板１２０の光入射面１２０ａ
に対向する端面１２０ｃの略中央部分に対向配置されている。さらに、光検出器１３３は
、光入射面１２０ａに対して交差（直交）する他方（右側）の端面１２０ｄのうち、光入
射面１２０ａに最も近い部分、すなわち、光入射面１２０ａに隣接する端部分に対向配置
されている。
【００２４】
これにより、光検出器１３１は端面１２０ｂの光入射面１２０ａから最も離間した端部
分から一方の側方へ出射される光を計測し、また、光検出器１３２は端面１２０ｃの略中
央部分から光の伝播方向とほぼ同じ方向へ出射される光を計測し、さらに、光検出器１３
３は端面１２０ｄの光入射面１２０ａに最も近い端部分から他方の側方へ出射される光を
計測するようになっている。
【００２５】
なお、導光板１２０に対する光検出器１３１、１３２、１３３の姿勢としては、例えば
、図３（ａ）に示すように、導光板１２０の端面１２０ｂ、１２０ｃ、１２０ｄに受光面
１３１ａ、１３２ａ、１３３ａを向けて正対するように配置されていてもよく、また、図
３（ｂ）に示すように、その受光面１３１ａ、１３２ａ、１３３ａが端面１２０ｂ、１２
０ｃ、１２０ｄに対して直接に正対していないが、何らかの導光部材（図示例では反射板
）１６０を介して端面１２０ｂ、１２０ｃ、１２０ｄから出射する光が受光面に入射する
ように設定された姿勢で設置されていてもよい。
【００２６】
上記の図示例では、光検出器１３１、１３２、１３３は導光板１２０の端面１２０ｂ、
１２０ｃ、１２０ｄに対向配置されているが、光出射面１２１又は底面１２２の一部に対
向配置されていてもよい。これらの場合には、照明装置１００の照明範囲を妨げないよう
に、光出射面１２１又は底面１２２の外周部（後述する電気光学パネルの駆動領域から外
れた部分）に光検出器が対向配置されるように構成すればよい。
【００２７】
例えば、図３（ｃ）に示すように、光検出器１３１、１３２、１３３を導光板１２０の
底面１２２の下方に対向配置させてもよい。このとき、光検出器は、その受光面１３１ａ
，１３２ａ，１３３ａが底面１２２と対向するように上方へ向いた姿勢とされる。また、
光検出器１３１、１３２、１３３は、導光板１２０とそれを収容する枠体９１１との間に
配置されることが好ましい。なお、これとは逆に、光検出器をその受光面が下を向く姿勢
で光出射面１２１上に設置してもよい。
【００２８】
また、図３（ｄ）に示すように、導光板１２０の端面部分における底部に切り欠き１２
０ｇが形成され、光検出器１３１、１３２、１３３を切り欠き１２０ｇの中に収容するこ
とにより、図３（ｃ）の場合に比べて照明装置の厚みを低減することができる。このとき
、光検出器の受光面１３１ａ，１３２ａ，１３３ａは、切り欠き１２０ｇの内面１２０ｇ
ａに対向するように設定される。なお、受光面を内面１２０ｇｂに対向するように配置す
ることで、図３（ａ）の場合と比べて照明装置の外形を小さく構成することが可能である
。
【００２９】
図１に示す検出回路１４０は、複数の光検出器１３１、１３２、１３３から出力される
各検出値の代表値を算出し、この代表値を制御回路１５０へ出力する。この代表値として
は、例えば、平均値が典型であるが、中央値、適宜の加重係数で設定された加重平均値、
或いは、単純な総和、適宜の係数で設定された線形和などであってもよい。また、この検
出回路１４０は、各光検出器で検出された検出値に基づいて色度の代表値を出力するもの
である。ただし、後述するように、各光検出器で検出された検出値に基づいて輝度の代表
値を得るものであってもよく、色度と輝度の双方の代表値を得るものであってもよい。な
お、以下においては、検出回路１４０にて色度の平均値が算出され、制御回路１５０にお
いて光源の色度が制御されることを前提として説明する。
【００３０】
この場合において、検出値の平均値の算出は、まず、光検出器１３１が検出した光のＲ
ＧＢ成分のそれぞれの強度Ｌ１ｒ、Ｌ１ｇ、Ｌ１ｂから色度Ｃ１を算出する。色度Ｃ１は
、適宜の表色系を用いた値とすることができる。例えば、図４に示す色度図で用いられる
ＣＩＥ表色系ではｘ及びｙによって色度が表現されるため、色度は例えばＣ１（ｘ１、ｙ
１）の形で算出される。同様に、光検出器１３２の検出値から色度Ｃ２（ｘ２、ｙ２）を
算出し、光検出器１３３の検出値から色度Ｃ３（ｘ３、ｙ３）を算出する。そして、これ
ら３つの色度Ｃ１、Ｃ２、Ｃ３の平均値Ｐ（ｘｐ、ｙｐ）を求める。ここで、ｘｐ＝（ｘ
１＋ｘ２＋ｘ３）／３、ｙｐ＝（ｙ１＋ｙ２＋ｙ３）／３である。
【００３１】
上記のようにして検出回路１４０から出力される上記平均値Ｐ（ｘｐ、ｙｐ）は、制御
回路１５０において所定の色度を表す既定値Ａ（ｘａ、ｙａ）と比較され、その色度の差
ΔＣ（Δｘ、Δｙ）が算出される。ここで、Δｘ＝ｘｐ−ｘａ、Δｙ＝ｙｐ−ｙａである
。そして、この色度の差ΔＣに基づいて、制御回路１５０から制御信号ＳＲ、ＳＧ、ＳＢ
を出力する。ここで、制御信号ＳＲ、ＳＧ、ＳＢは、光源１１１〜１１６に共通して送ら
れる。すなわち、光源１１１〜１１６における赤色域の光を放出するＲ発光部（赤色ＬＥ
Ｄ等で構成される。）は上記制御信号ＳＲで制御され、緑色域の光を放出するＧ発光部（
緑色ＬＥＤ等で構成される。）は上記制御信号ＳＧで制御され、青色域の光を放出するＢ
発光部（青色ＬＥＤ等で構成される。）は上記制御信号ＳＢで制御される。これらの制御
信号ＳＲ、ＳＧ、ＳＢは、それぞれの発光部に与える電流値等を規定し、光源１１１〜１
１６から放出される光を上記色度の差ΔＣを小さくなるように調整する。
【００３２】
例えば、図４に示すように、光源１１１〜１１６のＲ発光部の発光色をＣＲ、Ｇ発光部
の発光色をＣＧ、Ｂ発光部の発光色をＣＢとすると、光源１１１〜１１６はＣＲ−ＣＧ−
ＣＢの三角形内の色を再現することができることとなるが、平均値Ｐと既定値Ａの差ΔＣ
に基づいて、ＣＲ、ＣＧ、ＣＢの光強度を変えることによって、上記差ΔＣを低減するよ
うに、すなわち、平均値Ｐを既定値Ａに近づけるように上記制御信号ＳＲ、ＳＧ、ＳＢが
生成される。
【００３３】
上記光源制御手段を上記とは別の方法で光源を制御するように構成することも可能であ
る。例えば、色度の平均値として、光検出器１３１が検出した光のＲＧＢ成分の強度をＬ
１ｒ、Ｌ１ｇ、Ｌ１ｂとし、光検出器１３２が検出する光のＲＧＢ成分の強度をＬ２ｒ、
Ｌ２ｇ、Ｌ２ｂとし、光検出器１３３が検出する光のＲＧＢ成分の強度をＬ３ｒ、Ｌ３ｇ
、Ｌ３ｂとすると、３つの光検出器１３１、１３２、１３３のＲ成分の平均強度Ｐｒ、Ｇ
成分の平均強度Ｐｇ、及び、Ｂ成分の平均強度Ｐｂを用いることができる。ここで、Ｐｒ
＝（Ｌ１ｒ＋Ｌ２ｒ＋Ｌ３ｒ）／３、Ｐｇ＝（（Ｌ１ｇ＋Ｌ２ｇ＋Ｌ３ｇ）／３、Ｐｂ＝
Ｌ１ｂ＋Ｌ２ｂ＋Ｌ３ｂ）／３である。
【００３４】
図５には、ＲＧＢ成分ごとの光強度の平均値Ｐｒ、Ｐｇ、Ｐｂ示す。そして、このＰｒ
、Ｐｇ、Ｐｂを、それぞれの光成分に対応する既定値Ａｒ、Ａｇ、Ａｂと比較し、各成分
における光強度の差ΔＩｒ＝Ｐｒ−Ａｒ、ΔＩｇ＝Ｐｇ−Ａｇ、ΔＩｂ＝Ｐｂ−Ａｂを求
め、これらに応じてそれぞれＲ発光部、Ｇ発光部、Ｂ発光部に対する制御信号ＳＲ、ＳＧ
、ＳＢを増減させて光源１１１〜１１６へ出力し、各光源の放出光の色度を設定する。こ
のようにしても、平均値Ｐと既定値Ａとの差が低減されるように光源を制御することがで
きる。
【００３５】
以上説明したように、上記のいずれの方法であっても、本実施形態では、導光板１２０
の光出射面１２１から出射される照明光の色度（ホワイトバランス）をフィードバック制
御することができる。この場合、複数の光源１１１〜１１６について共通の制御信号によ
り一括して制御することが、制御回路１５０を簡易に構成する上で好ましい。このように
しても、本実施形態の色度制御の目的は導光板１２０の光出射面１２１から出射される照
明光全体の色度の再現性であるので、複数の光源１１１〜１１６の個々の特性の組み合わ
せによる照明光全体の色度レベルのばらつきに対しては充分な制御効果を得ることができ
る。
【００３６】
なお、上記の光源制御手段は、図示しない起動スイッチを操作したり、或いは、所定の
起動信号が入力されたりしたときにのみ、上述の制御を行うように構成されていてもよく
、また、常時、所定の周期若しくはタイミングで制御を行うように構成されていてもよい
。
【００３７】
また、上記の説明では色度を制御するようにしているが、輝度を制御する場合には、上
記と同様に検出回路１４０において複数の光検出器の検出値から輝度の代表値、例えば平
均値を算出し、この輝度の代表値を輝度の既定値と比較した結果に応じて複数の光源を制
御するようにすればよい。この場合、色度自体を変化させないように輝度を調整すること
が好ましい。ただし、上述のように色度を制御しつつ、並行して輝度を制御することも可
能である。このようにすれば、照明光の色度と輝度の双方を既定値にそれぞれ近づけるこ
とが可能になる。
【００３８】
特に輝度の代表値としては、光源の配列方向に見たときの導光板１２０の左端部分と右
端部分、又は、中央部分と両端部分、或いは、導光板１２０内の光の伝播方向に見たとき
の導光板１２０の光入射面１２０ａに近い部分と遠い部分の各ばらつきによる影響をなく
すために、各光検出器の検出値を所定の重みで加重して平均を取ったり、所定の係数で加
重して線形和を求めたりすることが有効である。
【００３９】
この第１実施形態においては、複数の光検出器１３１、１３２、１３３が導光板１２０
の互いに異なる方向を向いた３つの端面１２０ｂ、１２０ｃ、１２０ｄに対向配置されて
いるので、複数の光検出器１３１、１３２、１３３によって導光板１２０から異なる方向
へ出射される光を検出することができることから、導光板１２０の光出射面１２１から出
射される照明光全体をより正確に反映した光検出を行うことができるため、高精度の色度
制御を行うことができる。
【００４０】
特に、上記の複数の光検出器は導光板１２０の異なる端面に対向配置されており、しか
も、各端面１２０ｂ、１２０ｃ、１２０ｄの光入射面から最も離間した部分、中央部分、
光入射面に最も近い部分にそれぞれ対向配置されているため、上記照明光の全体をより的
確に反映した制御を行うことが可能になる。
【００４１】
（電気光学装置）  図２は、上記照明装置１００を含む電気光学装置９００の図１のII
−IIの線と対応する部分に沿った断面を模式的に示す概略縦断面図である。電気光学装置
９００は、照明装置１００をバックライトとして用いるものであり、照明装置１００の光
出射面１２１上に、光拡散シート９２０と２枚のプリズムシート９３０、９４０が配置さ
れ、その上にさらに電気光学パネル８００が配置されたものである。
【００４２】
光拡散シート９２０は、電気光学パネル８００の少なくとも駆動領域に照射される光を
均一化するためのものであり、光を散乱又は拡散させる半透明シートである。光拡散シー
ト９２０は、例えば、ポリエステルの如き透明な合成樹脂製シートに透明ビーズが混入さ
れた樹脂を塗布してなる。
【００４３】
２枚のプリズムシート９３０、９４０は、照明装置１００の光を集光して視認側の正面
輝度を増加させるためのものであり、例えば、所定方向に伸びる断面三角形状のプリズム
構造が複数ストライプ状に配列されたものである。２枚のプリズムシート９３０と９４０
はその集光方向（プリズム構造の延在方向と直交する方向）が相互に直交する姿勢となる
ように配置される。
【００４４】
電気光学パネル８００は、たとえば、透過型又は半透過型の液晶表示体で構成され、Ｔ
Ｎ（Ｔｗｉｓｔｅｄ  Ｎｅｍａｔｉｃ：ツイストネマティック）液晶、ＳＴＮ（Ｓｕｐｅ
ｒ  Ｔｗｉｓｔｅｄ  Ｎｅｍａｔｉｃ：スーパーツイストネマティック）液晶などの種々
の液晶モードを用いることができ、また、ＴＦＴ（Ｔｈｉｎ  Ｆｉｌｍ  Ｔｒａｎｓｉｓ
ｔｏｒ）やＴＦＤ（Ｔｈｉｎ  Ｆｉｌｍ  Ｄｉｏｄｅ）などをスイッチング素子として用
いるアクティブマトリクス式であっても、或いは、パッシブマトリクス式の表示体であっ
てもよい。なお、図示例及び以下の説明では電気光学パネル８００が半透過反射型の液晶
表示体で構成されることを前提とする。
【００４５】
電気光学パネル８００は、図示例の場合、シール材８１０で貼り合わされた一対のガラ
スやプラスチック等からなる基板８２０、８３０の間に液晶８４０が封入されてなるもの
である。視認側の基板８２０の外面上には偏光板８２１が貼付され、また、その内面上に
はＲＧＢの３色及びブラックマトリックスを有するカラーフィルタ８２２、保護層８２３
、画素電極８２４及び配向膜８２５が順次積層されている。一方、バックライト側の基板
８３０の外面上にも偏光板８３１が貼付され、また、その内面上には開口８３２ａを有す
る光反射層８３２、絶縁層８３３、画素電極８３４及び配向膜８３５が順次積層されてい
る。
【００４６】
電気光学パネル８００においては、一対の基板８２０、８３０にそれぞれ設けられた画
素電極８２４、８３４に電圧を印加することによって液晶８４０の配向状態が制御され、
これによって、照明装置１００からの照明光ａ、或いは、視認側から入射する外光ｂの偏
光状態に対する変調度合が変化することで、偏光板８２１，８３１の作用によってサブ画
素ＳＰＸごとに光の透過率若しくは反射率が制御されるように構成されている。
【００４７】
この電気光学装置９００においては、上記照明装置１００をバックライトとして用いる
ことにより、上述のように色度が制御された照明光ａによって色再現性の高い透過表示が
実現できる。
【００４８】
［第２実施形態］
次に、図６を参照して第２実施形態の照明装置２００について説明する。図６は第２実
施形態の照明装置２００の光源、導光板、及び、光検出器の平面配置を模式的に示す概略
平面図である。この実施形態において、第１実施形態の照明装置１００と同一部分につい
ては同一符号を付しその説明は省略する。
【００４９】
本実施形態では、第１実施形態の照明装置１００の光検出器１３１、１３２、１３３と
同様に構成された複数の光検出器２３１、２３２、２３３が設けられている。ただし、光
検出器２３１、２３２は導光板１２０の端面１２０ｃの左右の両端部分に対向配置されて
いる。また、光検出器２３３は導光板１２０の底面に対向配置されている。より具体的に
は、光検出器２３３の受光面は導光板１２０の端面１２０ｃの中央部分に隣接する底面部
分に対向するように配置されている。
【００５０】
この第２実施形態の照明装置２００では、２つの光検出器２３１、２３２によって、導
光板１２０の端面１２０ｃの両端部分から光の伝播方向（図示上方）へ出射する光をそれ
ぞれ検出でき、また、光検出器２３３によって導光板１２０の底面から下方へ出射する光
を検出することができる。
【００５１】
この実施形態でも、複数の光検出器２３１，２３２の受光面と光検出器２３３の受光面
とが異なる方向を向き、これによって導光板１２０から異なる方向へ出射する光を検出で
きるので、上記第１実施形態と同様に照明光を充分に反映した光源１１１〜１１６の制御
が可能になる。また、この実施形態では、光検出器２３１と２３２によって導光板１２０
における光源１１１〜１１６の配列方向両端部分の光を検出することができるため、光源
１１１〜１１６の配列方向の照明光の分布を加味して照明光を制御することができる。さ
らに、光検出器２３３の受光面は端面１２０ｃの中央部分に隣接する底面部分に対向配置
されているので、光源の配列方向に見て中央部分と両端部分との間に照明光の偏りが存在
した場合でも、両端部分を検出する光検出器２３１及び２３２の検出値と、中央部分を検
出する光検出器２３３の検出値とを考慮することで、光源の配列方向中央部分と両端部分
の偏りによる影響を排除して照明光を制御することが可能になる。
【００５２】
なお、上記とは逆に、光検出器２３１，２３２を端面１２０ｃの両端部分に隣接する底
面部分に対向配置させ、光検出器２３３を端面１２０ｃの中央部分に対向配置させてもよ
い。また、上記において底面部分に対向配置された光検出器を逆に光出射面１２１に対向
配置させてもよい。
【００５３】
[第３実施形態]
次に、図７を参照して第３実施形態の照明装置３００について説明する。図７は第３実
施形態の照明装置の光源、導光板及び光検出器の平面配置を模式的に示す概略平面図であ
る。なお、第１実施形態の照明装置１００と同一部分については同一符号を付しその説明
は省略する。
【００５４】
本実施形態では、光検出器３３１が端面１２０ｃの一方の端部分に対向配置され、光検
出器３３２が端面１２０ｃの中央部分に対向配置されている。また、光検出器３３３は光
検出器３３１が対向する端面１２０ｃの一方の端部分とは反対側の端部分に隣接する端面
１２０ｄに対向配置されている。
【００５５】
本実施形態においては、端面１２０ｃの端部分と中央部分に対向する光検出器３３１と
３３２によって、光源１１１〜１１６の配列方向の中央部分と端部分とのばらつきによる
制御への影響を低減でき、また、これにさらに端面１２０ｄに対向する光検出器３３３を
加えることで、光の出射方向によるばらつきや光源の配列方向の両端部間のばらつきによ
る制御への影響をも低減できる。特に、複数の光源が配列されている場合には、各光源か
ら発せられる熱によって中央の光源の温度は相対的に高くなり、端の光源の温度は相対的
に低くなる傾向があることから、温度差によって光源の発光状態が変化する場合があるた
め、光源の配列方向に見たときの照明光のばらつきは大きくなりやすいため、上記の光検
出器の配置態様は効果的である。
【００５６】
なお、光検出器３３３は、端面１２０ｄの中央部分に対向する位置に配置されていても
、端面１２０ｄのいずれか一方の端部分（光入射面１２０ａ側若しくは端面１２０ｃ側の
端部分）に対向する位置に配置されていてもよい。
【００５７】
[第４実施形態]
次に、図８を参照して第４実施形態の照明装置４００について説明する。図８は第４実
施形態の照明装置の光源、導光板及び光検出器の平面配置を模式的に示す概略平面図であ
る。ここで、第１実施形態の照明装置１００と同一部分については同一符号を付しその説
明は省略する。
【００５８】
本実施形態では、光検出器４３１は導光板１２０の端面１２０ｂの端部分（図示例では
光源から最も離間した側）に対向配置され、光検出器４３２は導光板１２０の端面１２０
ｃの中央部分に対向配置されている。
【００５９】
このようにすると、二つの光検出器４３１、４３２だけで、導光板１２０から異なる方
向へ出射する光のばらつきによる制御への影響を低減できるとともに、光源の配列方向に
見たときの中央部分と端部分の光のばらつきによる制御への影響も低減できる。
【００６０】
なお、図示点線で示すように、光検出器４３１を端面１２０ｂのうち最も光源に近い側
の端部分に対向配置してもよい。この場合には、光検出器４３１と４３２とによって導光
板１２０の光の伝播方向のばらつきによる制御への影響をも低減できる。また、上記の各
配置において光検出器４３１を端面１２０ｂの代わりに端面１２０ｄに対向配置してもよ
いことは当然である。
【００６１】
[第５実施形態]
次に、図９を参照して第５実施形態の照明装置５００について説明する。図９は第５実
施形態の照明装置の光源、導光板及び光検出器の平面配置を模式的に示す概略平面図であ
る。ここで、第１実施形態の照明装置１００と同一部分については同一符号を付しその説
明は省略する。
【００６２】
本実施形態では、光検出器５３１は導光板１２０の端面１２０ｃの一方の端部分に対向
配置され、光検出器５３２は導光板１２０における光検出器５３１が配置された端部分側
とは反対側において端面１２０ｃに隣接（直交）する端面１２０ｄの中央部分に対向配置
される。
【００６３】
このようにすると、二つの光検出器５３１、５３２だけで、異なる角度の出射光を検出
できることはもちろんのこと、光源の配列方向に見たときの左右両側のばらつきに起因す
る制御への影響を低減することができるとともに、導光板１２０の光の伝播方向に見たと
きの中央部分と端部分との間のばらつきによる制御への影響をも低減することができる。
【００６４】
なお、図示点線で示すように、光検出器５３１を端面１２０ｃの中央部分に対向配置さ
せてもよい。この場合には、光検出器５３１と５３２によって導光板１２０の端面１２０
ｃと１２０ｄのそれぞれの中央部分から相互に直交する方向へ出射する光を安定的に検出
することができる。
【００６５】
[第６実施形態]
次に、図１０を参照して第６実施形態の照明装置６００について説明する。図１０（ａ
）は第６実施形態の照明装置の光源、導光板及び光検出器の平面配置を模式的に示す概略
平面図、図１０（ｂ）は図１０（ａ）のｂ１−ｂ１線に沿った断面を模式的に示す概略縦
断面図である。ここで、第１実施形態の照明装置１００と同一部分については同一符号を
付しその説明は省略する。
【００６６】
本実施形態では、一方の光検出器６３１が端面１２０ｃの端部分に対向する位置に配置
されており、他方の光検出器６３２が導光板１２０の底面１２２の中央部分、すなわち、
端面１２０ｃの中央部分に隣接する底面部分に対向配置されている。
【００６７】
このようにすると、二つの光検出器６３１、６３２だけで、導光板１２０から異なる方
向へ出射する光を検出できることはもちろんのこと、光源の配列方向に見て中央部分と端
部分のばらつきによる制御への影響を低減することができる。
【００６８】
なお、光検出器６３１を端面１２０ｃの端面１２０ｄ側の端部分に配置してもよいこと
は当然である。また、上記とは逆に、光検出器６３１を端面１２０ｃの端部分に隣接する
底面部分に対向配置し、光検出器６３２を端面１２０ｃの中央部分に対向配置させてもよ
い。さらに、底面部分に対向配置させた光検出器を底面１２２ではなく逆に光出射面１２
１に対向配置させてもよい。
【００６９】
[第７実施形態]
次に、図１１を参照して第７実施形態の照明装置７００について説明する。図１１（ａ
）は第７実施形態の照明装置の光源、導光板及び光検出器の平面配置を模式的に示す概略
平面図、図１１（ｂ）は図１１（ａ）のｂ２−ｂ２線に沿った断面を模式的に示す概略縦
断面図である。ここで、第１実施形態の照明装置１００と同一部分については同一符号を
付しその説明は省略する。
【００７０】
本実施形態では、一方の光検出器７３１が端面１２０ｂに対向する位置に配置されてお
り、他方の光検出器７３２が導光板１２０の底面１２２に対向配置されている。具体的に
は、光検出器７３１は端面１２０ｂのうち端面１２０ｃ側の端部分に対向配置され、光検
出器７３２は端面１２０ｃの中央部分に隣接する底面部分に対向配置されている。
【００７１】
このようにすると、二つの光検出器７３１、７３２だけで、導光板１２０から異なる方
向へ出射する光のばらつきによる制御への影響を低減できることはもちろんのこと、光源
の配列方向に見た時の中央部分と端部分のばらつきによる制御への影響も低減できる。
【００７２】
なお、光検出器７３１を端面１２０ｄに対向配置させてもよいことは当然である。また
、上記とは逆に、光検出器７３１を端面１２０ｂの端部分に隣接する底面部分に対向配置
させ、光検出器７３２を導光板１２０の端面１２０ｃの中央部分に対向配置させてもよい
。さらに、底面部分に対向配置させた光検出器を底面１２２ではなく逆に光出射面１２１
に対向配置させてもよい。
【００７３】
[電子機器]
最後に、上記照明装置を含む電気光学装置を搭載した電子機器について説明する。図１
２は、本発明に係る電子機器の一実施形態であるノートパソコンの外観を示す。このノー
トパソコン１０００は、操作部１００１と、表示部１００２とを有し、表示部１００２の
内部に照明装置１００が含まれる電気光学装置９００が配置されている。ここで、照明装
置１００は電気光学パネル８００のバックライトとして用いられており、表示部１００２
の表面において電気光学パネル８００の表示画面を視認できるように構成されている。
【００７４】
また、図１３は、別の電子機器の一実施形態である携帯電話機の外観を示す。この携帯
電話機２０００は、操作部２００１と、表示部２００２とを有し、表示部２００２の内部
に照明装置１００が含まれる電気光学装置９００が配置されている。ここでも照明装置１
００は電気光学パネル８００のバックライトとして用いられており、表示部２００２の表
面において電気光学パネル８００の表示画面を視認できるように構成されている。
【００７５】
尚、本発明は、上述の図示例にのみ限定されるものではなく、本発明の要旨を逸脱しな
い範囲内において種々変更を加え得ることは勿論である。例えば、上記電気光学装置９０
０は液晶表示体で構成される電気光学パネルを用いるものであるが、透過表示が可能な他
の電気光学表示体を用いても構わない。また、上記照明装置１００は電気光学パネル８０
０のバックライトとして用いられるが、フロントライトとして用いるように構成されたも
のでも構わない。
【図面の簡単な説明】
【００７６】
【図１】本発明に係る第１実施形態の照明装置の平面配置を模式的に示す概略平面図。
【図２】第１実施形態の照明装置をバックライトとして適用した電気光学装置の図１のII−IIの線に沿った断面で模式的に示す概略縦断面図。
【図３】導光板と光検出器との位置関係を模式的に示す拡大部分断面図。
【図４】制御方法を説明するための色度図。
【図５】検出光のＲＧＢ成分ごとの平均強度及びこれに対応する既定値を示すグラフ。
【図６】第２実施形態の照明装置の平面配置を模式的に示す概略平面図。
【図７】第３実施形態の照明装置の平面配置を模式的に示す概略平面図。
【図８】第４実施形態の照明装置の平面配置を模式的に示す概略平面図。
【図９】第５実施形態の照明装置の平面配置を模式的に示す概略平面図。
【図１０】第６実施形態の照明装置の平面配置を模式的に示す概略平面図（ａ）及び（ａ）のｂ１−ｂ１線に沿った断面を模式的に示す概略縦断面図（ｂ）。
【図１１】第７実施形態の照明装置の平面配置を模式的に示す概略平面図（ａ）及び（ａ）のｂ１−ｂ１線に沿った断面を模式的に示す概略縦断面図（ｂ）。
【図１２】本発明に係る電子機器の一実施形態であるノートパソコンの外観を示す概略斜視図。
【図１３】別の電子機器の実施形態である携帯電話機の外観を示す概略斜視図。
【符号の説明】
【００７７】
１００、２００、３００、４００、５００、６００、７００…照明装置、１１１、１１２
、１１３、１１４、１１５、１１６…光源、１２０…導光板、１２０ａ…光入射面、１２
０ｂ、１２０ｃ、１２０ｄ…端面、１３０…光反射シート、１３１、１３２、１３３、２
３１、２３２、３３１、３３２、４３１、４３２、５３１、５３２、６３１、６３２、７
３１、７３２…光検出器、１３１ａ、１３２ａ、１３３ａ…受光面、１４０…検出回路、
１５０…制御回路、１６０…光反射部材、８００…電気光学パネル、８１０…シール材、
８２０、８３０…基板、８２１、８３１…偏光板、８２２…カラーフィルタ、８２３…保
護層、８２４、８３４…画素電極、８２５、８３５…配向膜、８３２…光反射層、８３２
ａ…開口、８３３…絶縁層、８４０…液晶、９００…電気光学装置、９１１…枠体、９２
０…光拡散シート、９３０、９４０…プリズムシート、１０００…ノートパソコン、１０
０１、２００１…操作部、１００２、２００２…表示部、２０００…携帯電話機、Ｌ１ｒ
、Ｌ１ｇ、Ｌ２ｂ、Ｌ２ｒ、Ｌ２ｇ、Ｌ２ｂ、Ｌ３ｒ、Ｌ３ｇ、Ｌ３ｂ…光強度、Ｃ１、
Ｃ２、Ｃ３…色度、Ｐ、Ｐｒ、Ｐｇ、Ｐｂ…平均値、Ａ、Ａｒ、Ａｇ、Ａｂ…既定値
【図１】
2007287386.tif 000003
【図２】
2007287386.tif 000004
【図３】
2007287386.tif 000005
【図４】
2007287386.tif 000006
【図５】
2007287386.tif 000007
【図６】
2007287386.tif 000008
【図７】
2007287386.tif 000009
【図８】
2007287386.tif 000010
【図９】
2007287386.tif 000011
【図１０】
2007287386.tif 000012
【図１１】
2007287386.tif 000013
【図１２】
2007287386.tif 000014
【図１３】
2007287386.tif 000015